(57)【要約】【課題】設備コストの増加を抑制しつつ、複数種の薬剤を、それぞれ流量比例薬注により薬注することができる薬剤供給装置を提供する。【解決手段】流量検出手段６と接続される薬剤供給装置５であって、パルス信号を受信可能な一次端子群Ａ〜Ｄ、及び当該一次端子群で受信されたパルス信号と同じパルス信号を送信可能な二次端子群ａ〜ｄを有し、一次端子群Ａ〜Ｄで受信されたパルス信号に応じた量の第１薬剤を流路に供給する第１薬剤供給装置５１と、第１薬剤供給装置５１と同じ一次端子群Ａ〜Ｄ及び二次端子群ａ〜ｄを有し、一次端子群Ａ〜Ｄで受信されたパルス信号に応じた量の第２薬剤を流路に供給する第２薬剤供給装置５２と、を備え、第１薬剤供給装置５１の一次端子群Ａ〜Ｄは、流量検出手段６と第１配線Ｃ２により接続され、第２薬剤供給装置５２の一次端子群Ａ〜Ｄは、第１薬剤供給装置５１の二次端子群ａ〜ｄと第２配線Ｃ３により接続される。【選択図】図２
2014061497.tif 000002
【特許請求の範囲】
【請求項１】
流路を流れる水の流量を検出し、当該流量に応じたパルス信号をパルス信号出力端子から出力する流量検出手段と接続される薬剤供給装置であって、
パルス信号を受信可能な一次端子群、及び当該一次端子群で受信されたパルス信号と同じパルス信号を送信可能な二次端子群を有し、前記一次端子群で受信されたパルス信号の入力数に応じた投入量の第１薬剤を前記流路に供給する第１薬剤供給装置と、
パルス信号を受信可能な一次端子群、及び当該一次端子群で受信されたパルス信号と同じパルス信号を送信可能な二次端子群を有し、前記一次端子群で受信されたパルス信号の入力数に応じた投入量の第２薬剤を前記流路に供給する第２薬剤供給装置と、を備え、
前記第１薬剤供給装置の前記一次端子群は、前記流量検出手段の前記パルス信号出力端子と第１配線により接続され、前記第２薬剤供給装置の前記一次端子群は、前記第１薬剤供給装置の前記二次端子群と第２配線により接続されている、
薬剤供給装置。
【請求項２】
前記第１薬剤供給装置は、前記一次端子群で受信された他のパルス信号に応じて前記流路への第１薬剤の供給を許容又は制限し、前記第２薬剤供給装置は、前記一次端子群で受信された他のパルス信号に応じて前記流路への第２薬剤の供給を許容又は制限する、
請求項１に記載の薬剤供給装置。
【請求項３】
前記第１薬剤供給装置は、前記第１薬剤として、前記流路に防食剤及び防スケール剤を供給し、前記第２薬剤供給装置は、前記第２薬剤として、前記流路に殺菌剤を供給する、
請求項１又は２に記載の薬剤供給装置。
【請求項４】
前記第１薬剤供給装置は、前記第１薬剤として、前記流路に殺菌剤を供給し、前記第２薬剤供給装置は、前記第２薬剤として、前記流路に防食剤及び防スケール剤を供給する、
請求項１又は２に記載の薬剤供給装置。
【発明の詳細な説明】
【技術分野】
【０００１】
本発明は、水処理システム等に用いられる薬剤供給装置に関する。
【背景技術】
【０００２】
従来、商業ビル、工業プラント等においては、冷凍機や熱交換器等の被冷却装置を冷却するために、冷却水が用いられている。冷却水は、その節約を図る観点から、冷却塔で冷却しながら循環して用いられる（以下、循環する冷却水を「循環水」ともいう）。
【０００３】
循環水を継続的に循環させると、水分の蒸発等により循環水の濃縮度が徐々に高くなり、水質が悪化する。そこで、循環水の水質を保つために、循環水への薬剤の供給（通称「薬注」）が行われている。従来の薬注方式として、例えば、冷却塔に補給された水（以下、「補給水」ともいう）の流量に比例した量の薬剤を循環水に供給する、いわゆる流量比例薬注が知られている（特許文献１参照）。この流量比例薬注は、後述するタイマー薬注に比べて、薬剤を高精度に供給することができる。
【先行技術文献】
【特許文献】
【０００４】
【特許文献１】特開２００２−１５９９６２号公報
【発明の概要】
【発明が解決しようとする課題】
【０００５】
循環水に供給される主な薬剤として、防食剤、スケール防止剤、及び殺菌剤が挙げられる。従来、これら３つの薬剤を混合して循環水に供給する一液薬注と、防食剤及びスケール防止剤を混合したもの（以下、「混合薬剤」ともいう）と殺菌剤とを別々に循環水に供給する二液薬注とが知られている。
【０００６】
このうち、二液薬注において、混合薬剤及び殺菌剤を、それぞれ流量比例薬注により循環水に供給するには、流量センサが１つに制限される場合もある。その場合には、混合薬剤を流量比例薬注で供給し、殺菌剤をタイマー薬注で供給することが行われている。タイマー薬注は、予め設定された時刻あるいは時間間隔で、所定量の薬剤を循環水に供給する薬注方式である。
【０００７】
タイマー薬注では、補給水の水量に変動があることを考慮して薬剤を多めに供給するため、薬剤の一部が無駄になることが考えられる。一方、１つの流量センサから出力される流量検出信号を分配器で分配し、２つの薬注装置にそれぞれ出力することも考えられる。その場合、混合薬剤及び殺菌剤を、それぞれ流量比例薬注により循環水に供給することができる。しかし、分配器を設けた場合には、設備コストの増加が避けられない。
【０００８】
従って、本発明は、設備コストの増加を抑制しつつ、複数種の薬剤を、それぞれ流量比例薬注により薬注することができる薬剤供給装置を提供することを目的とする。
【課題を解決するための手段】
【０００９】
本発明は、流路を流れる水の流量を検出し、当該流量に応じたパルス信号をパルス信号出力端子から出力する流量検出手段と接続される薬剤供給装置であって、パルス信号を受信可能な一次端子群、及び当該一次端子群で受信されたパルス信号と同じパルス信号を送信可能な二次端子群を有し、前記一次端子群で受信されたパルス信号の入力数に応じた投入量の第１薬剤を前記流路に供給する第１薬剤供給装置と、パルス信号を受信可能な一次端子群、及び当該一次端子群で受信されたパルス信号と同じパルス信号を送信可能な二次端子群を有し、前記一次端子群で受信されたパルス信号の入力数に応じた投入量の第２薬剤を前記流路に供給する第２薬剤供給装置と、を備え、前記第１薬剤供給装置の前記一次端子群は、前記流量検出手段の前記パルス信号出力端子と第１配線により接続され、前記第２薬剤供給装置の前記一次端子群は、前記第１薬剤供給装置の前記二次端子群と第２配線により接続されている薬剤供給装置に関する。
【００１０】
また、前記第１薬剤供給装置は、前記一次端子群で受信された他のパルス信号に応じて前記流路への第１薬剤の供給を許容又は制限し、前記第２薬剤供給装置は、前記一次端子群で受信された他のパルス信号に応じて前記流路への第２薬剤の供給を許容又は制限することが好ましい。
【００１１】
また、前記第１薬剤供給装置は、前記第１薬剤として、前記流路に防食剤及び防スケール剤を供給し、前記第２薬剤供給装置は、前記第２薬剤として、前記流路に殺菌剤を供給することが好ましい。
【００１２】
また、前記第１薬剤供給装置は、前記第１薬剤として、前記流路に殺菌剤を供給し、前記第２薬剤供給装置は、前記第２薬剤として、前記流路に防食剤及び防スケール剤を供給することが好ましい。
【発明の効果】
【００１３】
本発明によれば、設備コストの増加を抑制しつつ、複数種の薬剤を、それぞれ流量比例薬注により薬注することができる薬剤供給装置を提供することができる。
【図面の簡単な説明】
【００１４】
【図１】実施形態の水処理システム１を示す概略構成図である。
【図２】第１薬注装置５１及び第２薬注装置５２の概略構成図である。
【発明を実施するための形態】
【００１５】
以下、図面を参照して、本発明に係る薬剤供給装置を備えた水処理システムの実施形態について説明する。図１は、本実施形態の水処理システム１を示す概略構成図である。図２は、第１薬注装置５１及び第２薬注装置５２の概略構成図である。
【００１６】
図１に示すように、本実施形態の水処理システム１は、冷却塔２と、被冷却装置３と、循環水ポンプ４と、薬剤供給装置としての薬注装置５と、流量検出手段としての流量センサ６と、制御部１０と、を備える。また、水処理システム１は、循環水系としての循環水ラインＬ１と、補給水系としての補給水ラインＬ２と、を備える。なお、「ライン」とは、流路、経路、管路等の流体の流通が可能なラインの総称である。また、図１では、電気的な接続の経路を破線で示す。
【００１７】
冷却塔２は、補給水Ｗ１が供給されると共に、この補給水Ｗ１を循環水Ｗ２として被冷却装置３へ供給し、被冷却装置３から回収された循環水Ｗ２を冷却する装置である。冷却塔２には、循環水ラインＬ１と、補給水ラインＬ２と、が接続されている。
【００１８】
循環水ラインＬ１は、冷却塔２と被冷却装置３との間で循環水Ｗ２を循環させるラインである。循環水ラインＬ１の上流側の端部は、冷却塔２の下部に設けられた貯留部（不図示）に接続されている。貯留部は、循環水を貯留する部分である。循環水ラインＬ１の下流側の端部は、冷却塔２の上部に設けられた冷却部（不図示）に接続されている。冷却部は、被冷却装置３から回収された循環水Ｗ２を外気との熱交換により冷却する部分である。冷却部で冷却された循環水は、貯留部に貯留される。
【００１９】
被冷却装置３は、循環水Ｗ２による冷却が必要な熱交換器等の各種装置であり、例えば、各種の化学プラントのターボ冷凍機や吸収冷凍機、建築物の空調用冷却機、食品工場の冷水製造機や真空冷却機等である。
【００２０】
循環水ポンプ４は、循環水ラインＬ１の上流側から下流側へ向けて循環水Ｗ２を送り出す機器である。循環水ポンプ４は、制御部１０と電気的に接続されている。循環水ポンプ４の運転（駆動及び停止）は、制御部１０から出力されるポンプ運転信号（外部運転信号）により制御される。
【００２１】
薬注装置５は、循環水ラインＬ１へ薬剤を供給する装置である。薬注装置５は、第１薬剤供給装置としての第１薬注装置５１と、第２薬剤供給装置としての第２薬注装置５２と、を有する。
【００２２】
第１薬注装置５１は、循環水ラインＬ１へ、第１薬剤としての防食剤及び防スケール剤（混合薬剤）を供給する装置である。第１薬注装置５１は、接続部Ｊ１において、循環水ラインＬ１に接続されている。接続部Ｊ１は、循環水ポンプ４（接続部Ｊ２）と被冷却装置３との間に配置されている。
【００２３】
第１薬注装置５１は、流量センサ６（後述）及び制御部１０と電気的に接続されている。第１薬注装置５１は、流量センサ６から出力される流量検出信号（パルス信号）の入力数に応じた投入量の混合薬剤を循環水ラインＬ１に供給する。また、第１薬注装置５１は、制御部１０から出力されるポンプ運転信号に基づいて、循環水Ｗ２への混合薬剤の供給を許容又は制限する。
【００２４】
第２薬注装置５２は、循環水ラインＬ１へ、第２薬剤としての殺菌剤を供給する装置である。第２薬注装置５２は、接続部Ｊ２において、循環水ラインＬ１に接続されている。接続部Ｊ２は、循環水ポンプ４と接続部Ｊ１との間に配置されている。
【００２５】
第２薬注装置５２は、第１薬注装置５１と渡り配線（後述）により電気的に接続されている。第２薬注装置５２は、流量センサ６から出力される流量検出信号（パルス信号）を、第１薬注装置５１から渡り配線を介して受信し、その流量検出信号の入力数に応じた投入量の殺菌剤を循環水ラインＬ１に供給する。また、第１薬注装置５１は、制御部１０から出力されるポンプ運転信号を、第１薬注装置５１から渡り配線を介して受信し、そのポンプ運転信号に基づいて、循環水Ｗ２への混合薬剤の供給を許容又は制限する。第１薬注装置５１及び第２薬注装置５２の構成については後述する。
【００２６】
補給水ラインＬ２は、補給水Ｗ１を冷却塔２へ補給するラインである。補給水ラインＬ２の上流側は、水道水や工業用水等の補給水Ｗ１の供給源（不図示）に接続されている。補給水ラインＬ２の下流側の端部は、冷却塔２の貯留部に接続されている。なお、補給水ラインＬ２には、補給水ラインＬ２を開閉する補給水バルブ（不図示）が設けられている。
【００２７】
流量センサ６は、補給水ラインＬ２を流通する補給水Ｗ１の単位時間当たりの流量を検出し、その流量に対応した流量検出信号（パルス信号）を出力する機器である。流量センサ６としては、例えば、流路ハウジング内に羽根車（不図示）を配置したパルス発信式の流量センサを用いることができる。このパルス発信式の流量センサでは、羽根車が１回転する毎に矩形波のパルス信号が出力される。羽根車が１回転するときの流量［Ｌ／パルス］は、流量センサの設計仕様により決まる。そのため、薬注装置５では、流量センサ６から出力される流量検出信号に基づいて、補給水Ｗ１の補給水量を算出することができる。
【００２８】
流量センサ６は、接続部Ｊ３において、補給水ラインＬ２に接続されている。接続部Ｊ３は、補給水Ｗ１の供給源と冷却塔２との間に配置されている。また、流量センサ６は、第１薬注装置５１と電気的に接続されている。本実施形態の流量センサ６は、パルス信号出力端子（不図示）から２線式の電気経路により流量検出信号を出力する。２線式の電気経路において、プラス側の配線には流量検出信号（パルス信号）が出力され、マイナス側の配線は接地電位に接続される。
【００２９】
制御部１０は、水処理システム１における各部の動作を制御する。制御部１０は、水処理システム１に設けられた各測定装置（不図示）と電気的に接続され、これら測定装置から測定情報を受信する。また、制御部１０は、測定装置から受信した測定情報に基づいて、冷却塔２の運転状態を制御する。例えば、制御部１０は、循環水Ｗ２の電気伝導率を計測するセンサ（不図示）からの電気伝導率検出信号を受信して、循環水Ｗ２の電気伝導率が上限閾値を超過する場合には、冷却塔２から循環水Ｗ２の一部を排出して循環水Ｗ２を希釈するブロー処理を実行する。
【００３０】
また、制御部１０は、循環水ポンプ４にポンプ運転信号を出力する。循環水ポンプ４にポンプ駆動信号が出力されることより、循環水ラインＬ１の上流側から下流側へ向けて循環水Ｗ２を送り出され、冷却塔２と被冷却装置３との間を循環水Ｗ２が循環する。制御部１０から循環水ポンプ４へ供給されるポンプ運転信号は、図１に示すように、第１薬注装置５１にも供給される。本実施形態におけるポンプ運転信号は、運転状態においてＨｉｇｈレベル、運転停止状態においてＬｏｗ（又はゼロ）レベルとなる電圧信号である。
【００３１】
次に、第１薬注装置５１及び第２薬注装置５２の構成について、図２を参照しながら更に詳細に説明する。なお、第１薬注装置５１及び第２薬注装置５２は、実質的に同じ構成であるため、第１薬注装置５１を代表して説明する。また、図２では、薬注装置と循環水ラインＬ１との接続の図示を省略する。
【００３２】
図２に示すように、第１薬注装置５１は、一次端子群としての入力端子Ａ，Ｂ，Ｃ，Ｄと、二次端子群としての出力端子ａ，ｂ，ｃ，ｄと、を有する。入力端子Ａ，Ｂ，Ｃ，Ｄは、外部からパルス信号を受信可能な端子群である。また、出力端子ａ，ｂ，ｃ，ｄは、入力端子Ａ，Ｂ，Ｃ，Ｄで受信されたパルス信号と同じ信号を外部に送信可能な端子群である。
【００３３】
すなわち、第１薬注装置５１において、入力端子Ａで受信されたパルス信号と同じ信号は、出力端子ａから送信される。また、入力端子Ｂで受信されたパルス信号と同じ信号は、出力端子ｂから送信される。また、入力端子Ｃで受信されたパルス信号と同じ信号は、出力端子ｃから送信される。また、入力端子Ｄで受信されたパルス信号と同じ信号は、出力端子ｄから送信される。第２薬注装置５２についても、同様に機能する入力端子Ａ，Ｂ，Ｃ，Ｄと、出力端子ａ，ｂ，ｃ，ｄと、を有する。
【００３４】
第１薬注装置５１の入力端子Ａ，Ｂには、外部配線Ｃ１が接続されている。外部配線Ｃ１は、制御部１０（図１参照）から出力されたポンプ運転信号を伝送する２芯の配線ケーブルである。制御部１０から出力されたポンプ運転信号は、外部配線Ｃ１を介して第１薬注装置５１の入力端子Ａ，Ｂへ送信された後、出力端子ａ，ｂから外部に向けて送信される。また、第１薬注装置５１の入力端子Ｃ，Ｄには、第１配線としての外部配線Ｃ２が接続されている。外部配線Ｃ２は、流量センサ６から出力された流量検出信号（パルス信号）を伝送する２芯の配線ケーブルである。流量センサ６から出力された流量検出信号は、外部配線Ｃ２を介して第１薬注装置５１の入力端子Ｃ，Ｄへ送信された後、出力端子ｃ，ｄから外部に向けて送信される。
【００３５】
また、第１薬注装置５１の出力端子ａ，ｂ，ｃ，ｄには、第２配線としての渡り配線Ｃ３の一方の端部が接続されている。渡り配線Ｃ３は、第１薬注装置５１と第２薬注装置５２との間を電気的に接続する４芯の配線ケーブルである。渡り配線Ｃ３の他方の端部は、第２薬注装置５２の入力端子Ａ，Ｂ，Ｃ，Ｄに接続されている。
【００３６】
図２に示すように、第１薬注装置５１と第２薬注装置５２との間を渡り配線Ｃ３により接続すると、制御部１０から外部配線Ｃ１を介して第１薬注装置５１の入力端子Ａ，Ｂへ送信されたポンプ運転信号は、第１薬注装置５１の出力端子ａ，ｂから渡り配線Ｃ３を介して第２薬注装置５２の入力端子Ａ，Ｂへ送信される。また、流量センサ６から外部配線Ｃ２を介して第１薬注装置５１の入力端子Ｃ，Ｄへ送信された流量検出信号は、第１薬注装置５１の出力端子ｃ，ｄから渡り配線Ｃ３を介して第２薬注装置５２の入力端子Ｃ，Ｄへ送信される。
【００３７】
これによれば、第２薬注装置５２は、制御部１０から第１薬注装置５１へ送信されたポンプ運転信号、及び流量センサ６から第１薬注装置５１へ送信された流量検出信号を、それぞれリアルタイムで取得することができる。
【００３８】
第１薬注装置５１は、制御部１０から送信されるポンプ運転信号に基づいて、循環水Ｗ２への混合薬剤の供給を許容又は制限することができる。同様に、第２薬注装置５２は、制御部１０から送信されるポンプ運転信号に基づいて、循環水Ｗ２への殺菌剤の供給を許容又は制限することができる。具体的には、第１薬注装置５１及び第２薬注装置５２は、ポンプ運転信号がＨｉｇｈレベルの場合に、循環水Ｗ２への薬剤の供給を許容する。その一方で、第１薬注装置５１及び第２薬注装置５２は、ポンプ運転信号がＬｏｗレベルの場合に、循環水Ｗ２への薬剤の供給を制限（禁止）する。
【００３９】
また、第１薬注装置５１は、流量センサ６から出力される検出流量信号に基づいて、流量比例薬注により混合薬剤を循環水Ｗ２に供給することができる。同様に、第２薬注装置５２は、流量センサ６から出力される検出流量信号に基づいて、流量比例薬注により殺菌剤を循環水Ｗ２に供給することができる。
【００４０】
上述した薬注装置５を備えた水処理システム１によれば、例えば、以下のような効果を奏する。
【００４１】
第１薬注装置５１と第２薬注装置５２との間を渡り配線Ｃ３で接続することにより、第１薬注装置５１で受信したパルス信号と同じパルス信号を第２薬注装置５２に送信することができる。これによれば、１つの流量センサ６から出力された流量検出信号を、第１薬注装置５１及び第２薬注装置５２においてリアルタイムに受信することができる。そのため、第１薬注装置５１と第２薬注装置５２とにおいて、それぞれ流量比例薬注により薬剤を循環水Ｗ２供給することができる。また、１つの流量センサ６から出力された流量検出信号を分配する分配器を設ける必要がない。従って、本実施形態の薬注装置５によれば、分配器の設置による設備コストの増加を抑制しつつ、混合薬剤及び殺菌剤を、それぞれ流量比例薬注により薬注することができる。
【００４２】
また、制御部１０から出力されるポンプ運転信号を、第１薬注装置５１及び第２薬注装置５２においてリアルタイムに受信することができる。そのため、第１薬注装置５１及び第２薬注装置５２は、制御部１０から出力された共通のポンプ運転信号に基づいて、循環水Ｗ２への薬剤の供給を許容又は制限することができる。この結果、冷却塔２が運転されていない状態では、薬剤が無駄に投入されることを抑制することができる。
【００４３】
また、本実施形態では、第１薬注装置５１から混合薬剤が循環水Ｗ２に供給され、第２薬注装置５２から殺菌剤が循環水Ｗ２に供給される。そのため、渡り配線Ｃ３に断線や接続不良等が生じた場合でも、第１薬注装置５１から循環水Ｗ２に混合薬剤を供給することができる。そのため、循環水Ｗ２において、防スケール及び防食の効果を維持することができる。
【００４４】
なお、本実施形態において、第１薬注装置５１から殺菌剤を循環水Ｗ２に供給させ、第２薬注装置５２から混合薬剤を循環水Ｗ２に供給させるように構成してもよい。この場合、渡り配線Ｃ３に断線や接続不良等が生じた場合でも、第１薬注装置５１から循環水Ｗ２に殺菌剤を供給することができる。そのため、循環水Ｗ２において、菌類の繁殖を防止する効果を維持することができる。
【００４５】
以上、本発明の好適な実施形態について説明したが、本発明は、上述した実施形態に限定されることなく、種々の形態で実施することができる。
【００４６】
本実施形態では、第１薬注装置５１と第２薬注装置５２とを備えた薬注装置５について説明した。これに限らず、薬注装置５は、３つ以上の薬注装置を備えた構成であってもよい。その場合も、各薬注装置間は、渡り配線Ｃ３により電気的に接続することができる。
【００４７】
本実施形態では、流量センサ６において、２線式の電気経路により流量検出信号を出力する例について説明した。これに限らず、流量センサ６は、３線式（パルス信号、電源電位、接地電位）の電気経路により流量検出信号を出力するものであってもよい。なお、３線式の電気経路を、２線式の電気経路に適用することもできる。その場合は、２芯の配線ケーブルの一方に、パルス信号と電源電位とを接続すると共に、その配線側を第１薬注装置５１の１つの入力端子（Ａ〜Ｄのいずれか）に接続すればよい。
【００４８】
本実施形態では、薬剤を循環水ラインＬ１に供給する例について説明した。しかし、薬剤を冷却塔２へ供給することができれば、薬剤を供給する位置はこの例に限定されない。例えば、薬剤を冷却塔２の冷却部及び／又は貯留部（不図示）に供給してもよい。また、薬剤を補給水Ｗ１に供給してもよいし、補給水Ｗ１及び循環水Ｗ２の両方に供給してもよい。また、薬剤としての混合薬剤及び殺菌剤は、同じ位置から循環水Ｗ２に供給してもよいし、離れた位置から循環水Ｗ２に供給してもよい。すなわち、第１薬注装置５１及び第２薬注装置５２は、必ずしも近接している必要はなく、離れていてもよい。
【００４９】
本実施形態では、薬注装置５を、冷却塔２を有する水処理システム１に適用した例について説明した。この例に限らず、複数種の薬剤を個別に供給する薬注装置５を、濾過装置、ボイラ装置、ＲＯ装置（逆浸透膜装置）等に水を供給する水処理システムに適用することもできる。
【符号の説明】
【００５０】
１  水処理システム
２  冷却塔
３  被冷却装置
４  循環水ポンプ
５  薬注装置（薬剤供給装置）
６  流量センサ
１０  制御部
５１  第１薬注装置（第１薬剤供給装置）
５２  第２薬注装置（第２薬剤供給装置）
Ａ〜Ｄ  入力端子（一次端子群）
ａ〜ｄ  出力端子（二次端子群）
Ｃ１  外部配線
Ｃ２  外部配線（第１配線）
Ｃ３  渡り配線（第２配線）
【図１】
2014061497.tif 000003
【図２】
2014061497.tif 000004